【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
階調データに対応して選択される基準電圧を含む複数の基準電圧を発生するための基準電圧発生回路であって、
抵抗回路を有し、該抵抗回路の両端の電圧を抵抗分割した複数の抵抗分割ノードに複数の基準電圧を出力するガンマ補正抵抗回路と、
前記抵抗回路の両端に、高電位側電圧及び低電位側電圧を供給する第１及び第２の電圧供給回路と、を含み、
前記第１及び第２の電圧供給回路が、
１画素を構成する色成分ごとに用意された高電位側電圧及び低電位側電圧の少なくとも１つを、色成分ごとに切り替えて前記抵抗回路の両端に前記高電位側電圧及び低電位側電圧を供給し、
前記ガンマ補正抵抗回路が、
電気光学装置のデータ線を駆動する駆動部の入力として選択するための複数の基準電圧信号線の各基準電圧信号線に、色成分ごとに切り替えられる複数の基準電圧の各基準電圧を供給することを特徴とする基準電圧発生回路。
【請求項２】
階調データに対応して選択される基準電圧を含む複数の基準電圧を発生するための基準電圧発生回路であって、
抵抗回路を有し、該抵抗回路の両端の電圧を抵抗分割した複数の抵抗分割ノードに複数の基準電圧を出力するガンマ補正抵抗回路と、
前記抵抗回路の両端に、高電位側電圧及び低電位側電圧を供給する第１及び第２の電圧供給回路と、を含み、
前記第１及び第２の電圧供給回路が、
１画素を構成する色成分ごとに用意された高電位側電圧及び低電位側電圧の少なくとも１つを、色成分ごとに切り替えて前記抵抗回路の両端に前記高電位側電圧及び低電位側電圧を供給し、
前記ガンマ補正抵抗回路が、
電気光学装置の第１及び第２のデータ線を駆動する第１及び第２の駆動部の入力として選択するための複数の基準電圧信号線の各基準電圧信号線に、色成分ごとに切り替えられる複数の基準電圧の各基準電圧を供給することを特徴とする基準電圧発生回路。
【請求項３】
請求項１又は２において、
前記ガンマ補正抵抗回路が、
前記複数の抵抗分割ノードのうちいずれか２つの抵抗分割ノード間に挿入された補正スイッチ回路を含み、
前記補正スイッチ回路が、
直列に接続された抵抗素子とスイッチ素子とを有し、該補正スイッチ回路が挿入された前記抵抗分割ノード間を電気的に接続又は遮断することを特徴とする基準電圧発生回路。
【請求項４】
請求項１乃至３のいずれかにおいて、
前記ガンマ補正抵抗回路が、
複数の基準電圧のうち少なくとも１つの基準電圧を、色成分ごとに異ならせることを特徴とする基準電圧発生回路。
【請求項５】
請求項１乃至４のいずれかにおいて、
１画素を構成する色成分が、
Ｒ成分、Ｇ成分及びＢ成分であり、
Ｒ成分の高電位側電圧及び低電位側電圧の差がＧ成分の高電位側電圧及び低電位側電圧の差より大きく、かつＧ成分の高電位側電圧及び低電位側電圧の差がＢ成分の高電位側電圧及び低電位側電圧の差より大きいことを特徴とする基準電圧発生回路。
【請求項６】
請求項１乃至５のいずれかにおいて、
１画素を構成する色成分が、
Ｒ成分、Ｇ成分及びＢ成分であり、
前記高電位側電圧は、
Ｒ成分の高電位側電圧、Ｇ成分の高電位側電圧及びＢ成分の高電位側電圧のうち、Ｂ成分の高電位側電圧が最も低いことを特徴とする基準電圧発生回路。
【請求項７】
請求項１乃至６のいずれかにおいて、
前記第１の電圧供給回路が、
ボルテージフォロワ接続された演算増幅器を含み、
該演算増幅器は、ｐチャネル型駆動トランジスタによりその出力が駆動されることを特徴とする基準電圧発生回路。
【請求項８】
請求項１乃至７のいずれかにおいて、
前記第２の電圧供給回路が、
ボルテージフォロワ接続された演算増幅器を含み、
該演算増幅器は、ｎチャネル型駆動トランジスタによりその出力が駆動されることを特徴とする基準電圧発生回路。
【請求項９】
請求項１乃至８のいずれかにおいて、
前記階調データが、
１画素を構成する色成分ごとに時分割により多重化されており、
前記第１及び第２の電圧供給回路が、
前記階調データの各色成分の時分割タイミングごとに、各色成分の高電位側電圧及び低電位側電圧の少なくとも１つを切り替えて前記抵抗回路の両端に供給することを特徴とする基準電圧発生回路。
【請求項１０】
複数の走査線及び複数のデータ線を含む電気光学装置の前記複数のデータ線を階調データに基づいて駆動するためのデータドライバであって、
請求項２乃至９のいずれか記載の基準電圧発生回路と、
前記複数の基準電圧のうち、第１及び第２の階調データに対応した基準電圧を第１及び第２のデータ電圧として出力するデータ電圧生成回路と、
前記第１のデータ電圧に基づいて前記第１のデータ線を駆動する第１の駆動部と、
前記第２のデータ電圧に基づいて前記第２のデータ線を駆動する第２の駆動部と、を含むことを特徴とするデータドライバ。
【請求項１１】
複数の走査線及び複数のデータ線を含む電気光学装置の前記複数のデータ線を階調データに基づいて駆動するためのデータドライバであって、
請求項２乃至８のいずれかに従属する請求項９記載の基準電圧発生回路と、
１画素の各色成分の階調データを時分割して多重化する多重化回路と、
前記複数の基準電圧のうち、前記多重化回路によって多重化された第１及び第２の階調データに対応した基準電圧を第１及び第２のデータ電圧として出力するデータ電圧生成回路と、
前記第１のデータ電圧に基づいて前記第１のデータ線を駆動する第１の駆動部と、
前記第２のデータ電圧に基づいて前記第２のデータ線を駆動する第２の駆動部と、を含むことを特徴とするデータドライバ。
【請求項１２】
複数の走査線と、
複数のデータ線と、
前記複数の走査線及び前記複数のデータ線によって特定される複数の画素と、
前記複数の走査線を走査する走査ドライバと、
前記複数のデータ線を駆動する請求項１０又は１１記載のデータドライバと、を含むことを特徴とする表示装置。
【請求項１３】
複数の走査線と、
複数のデータ線と、
各色成分データ線が１画素を構成する色成分ごとに設けられた複数の色成分データ線と、
前記複数の走査線及び前記複数の色成分データ線によって特定される複数の画素と、
前記複数の走査線を走査する走査ドライバと、
前記複数のデータ線を駆動する請求項１１記載のデータドライバと、
各デマルチプレクサがデータ線ごとに設けられ、各デマルチプレクサが各データ線と該各データ線に対応する複数の色成分データ線のいずれかとを前記階調データの時分割タイミングに同期して電気的に接続する複数のデマルチプレクサと、を含むことを特徴とする表示装置。
【請求項１４】
請求項１２又は１３において、
前記複数の画素の各画素が、
エレクトロルミネセンス素子を含むことを特徴とする表示装置。
【請求項１５】
請求項１２乃至１４のいずれか記載の表示装置を含むことを特徴とする電子機器。
【手続補正２】
【補正対象書類名】明細書
【補正対象項目名】００４２
【補正方法】変更
【補正の内容】
【００４２】
走査線ＧＫ（１≦Ｋ≦Ｍ、Ｋは自然数）とＲ成分データ線ＲＳＬ（１≦Ｌ≦Ｎ、Ｌは自然数）、Ｇ成分データ線ＧＳＬ及びＢ成分データ線ＢＳＬとの交差点に対応する位置に、それぞれ画素（表示素子）ＤＥＲＫＬ、ＤＥＧＫＬ、ＤＥＢＫＬが設けられている。
【手続補正３】
【補正対象書類名】明細書
【補正対象項目名】０１０１
【補正方法】変更
【補正の内容】
【０１０１】
図１２に示す基準電圧発生回路１００は、図５に示す基準電圧発生回路４６として用いることができる。基準電圧発生回路１００は、ガンマ補正抵抗回路１１０と、高電位側電圧供給回路（第１の電圧供給回路）１２０と、低電位側電圧供給回路（第２の電圧供給回路）１３０とを含む。